(57)【要約】【課題】乾湿計の機能を備えたエアサンプラに対する合理的な給水システムを提供する。【解決手段】給水システムは、実験室の室内空間内に配置される空調装置１と、実験室内の温度及び湿度等を計測するためのエアサンプラ２と、空調装置１が発生するドレン水を貯留するドレンタンク３と、ドレンタンク３内のドレン水をエアサンプラ２へ導くための給水系統４とを含む。エアサンプラ２は、乾球温度計（第１測温抵抗体２４）と、湿球温度計（第２測温抵抗体２５）と、ガーゼ２５２を通してプローブ部２５１（湿球感温部）に供給する水を貯留する給水槽２６とを備える。制御部５は、第１給水弁４３及び給水ポンプ４４を制御し、ドレンタンク３内のドレン水を、給水系統４を通して給水槽２６へ給水させる給水制御を行う。【選択図】図２
2012017948.tif 000002
【特許請求の範囲】
【請求項１】
乾球温度計と、湿球温度計と、該湿球温度計の湿球感温部に供給する水を貯留する給水槽とを備えたエアサンプラと、
空調機能を有し、該空調機能に関連してドレン水を発生する空調装置と、
前記ドレン水を貯留するドレンタンクと、
前記ドレンタンク内のドレン水を前記エアサンプラの給水槽へ導くための給水系統と、
前記給水系統を通してドレン水を前記給水槽へ給水させる給水動作を制御する制御手段と、
を備えることを特徴とする給水システム。
【請求項２】
前記給水系統は、前記ドレンタンクと前記給水槽との間に配管され、配管途中に第１給水弁及び給水ポンプを備えた第１給水配管を含み、
前記制御手段は、前記第１給水弁の開閉及び前記給水ポンプの駆動を制御することによって、前記給水動作を制御することを特徴とする請求項１に記載の給水システム。
【請求項３】
前記給水系統は、一端が商用給水系統に接続され、他端が前記第１給水弁及び給水ポンプよりも下流側において前記第１給水配管に接続され、配管途中に第２給水弁を備えた第２給水配管をさらに備え、
前記制御手段は、前記第２給水弁の開閉動作をさらに制御することを特徴とする請求項２に記載の給水システム。
【請求項４】
前記空調装置のドレン水排水部と前記ドレンタンクとを結ぶ導入配管と、
前記導入配管に配置され、前記ドレン水を浄化する浄化手段と、をさらに備えることを特徴とする請求項１〜３のいずれかに記載の給水システム。
【請求項５】
前記給水槽の水位を検出する水位センサをさらに備えることを特徴とする請求項１〜４のいずれかに記載の給水システム。
【発明の詳細な説明】
【技術分野】
【０００１】
本発明は、乾湿計の機能を備えたエアサンプラに対して給水を行う給水システムに関する。
【背景技術】
【０００２】
例えば室内の冷房又は暖房を行う空調装置の性能評価のために、エアサンプラが用いられることがある。この場合、エアサンプラとしては、乾球温度計と湿球温度計とからなる乾湿計を備え、空気温度及び湿度計測機能を有するものが用いられ、その計測結果に基づき空調装置の動作状態に関連付けたデータが取得される。ここで、湿球温度計の湿球感温部に対しては常時水を供給する必要がある。このため、この種のエアサンプラには給水槽が付設され、ガーゼのような導水部材を介して給水槽から前記湿球感温部に導水している。また、給水槽の水量は徐々に低下してゆくので、定期的に給水槽へ給水を行うことが必要となる。
【０００３】
一方、空調装置においては、その空調機能に関連してドレン水が発生する。空調装置が冷房動作を行う場合には、空気を冷やす際に空気中の湿分が凝縮し、ドレン水が発生する。また、暖房動作を行う場合には、熱交換機用コイルの霜取りを行うデフロスト運転の際にドレン水が発生することになる。これらのドレン水は、一般に専用の排水配管を通して廃棄されるが、その利用を提案する従来技術も存在する。例えば特許文献１には、ドレン水が有する冷熱を空調用の空気と熱交換する技術が開示されている。
【先行技術文献】
【特許文献】
【０００４】
【特許文献１】特開平８−２４０３２４号公報
【発明の概要】
【発明が解決しようとする課題】
【０００５】
空調装置の性能評価は、２４時間の連続運転を行いつつ、空調設定温度を一定に保ちながら、或いはシーケンシャルに変更しながら行われることがある。この場合、エアサンプラの湿球温度計への給水（ガーゼの湿潤）が途切れないようにする必要がある。このため、作業員が給水槽への給水を定期的に行うか、若しくは商用配管系統から給水槽への給水のための導入配管系統を新たに配管する必要があり、手間が掛かる、若しくは設備コストが高くなるという問題があった。
【０００６】
本発明は、上記の問題に鑑みてなされたものであって、乾湿計の機能を備えたエアサンプラに対する合理的な給水システムを提供することを目的とする。
【課題を解決するための手段】
【０００７】
本発明の一局面に係る給水システムは、乾球温度計と、湿球温度計と、該湿球温度計の湿球感温部に供給する水を貯留する給水槽とを備えたエアサンプラと、空調機能を有し、該空調機能に関連してドレン水を発生する空調装置と、前記ドレン水を貯留するドレンタンクと、前記ドレンタンク内のドレン水を前記エアサンプラの給水槽へ導くための給水系統と、前記給水系統を通してドレン水を前記給水槽へ給水させる給水動作を制御する制御手段と、を備えることを特徴とする（請求項１）。
【０００８】
この構成によれば、空調装置が発生するドレン水を活用して、エアサンプラの給水槽への給水が行われる。従って、エアサンプラを用いて空調装置の性能評価等を行う場合に、評価対象とする空調装置からエアサンプラへ給水を行わせるようにする自立的な実験システムを構築することができる。
【０００９】
上記構成において、前記給水系統は、前記ドレンタンクと前記給水槽との間に配管され、配管途中に第１給水弁及び給水ポンプを備えた第１給水配管を含み、前記制御手段は、前記第１給水弁の開閉及び前記給水ポンプの駆動を制御することによって、前記給水動作を制御することが望ましい（請求項２）。
【００１０】
この構成によれば、ドレンタンクから給水槽へ、第１給水配管を介してドレン水が供給される。そして、このドレン水供給は、水頭差等によるものではなく、制御手段による第１給水弁及び給水ポンプの動作制御により行われるので、給水槽への確実な給水を行わせることができる。
【００１１】
この場合、前記給水系統は、一端が商用給水系統に接続され、他端が前記第１給水弁及び給水ポンプよりも下流側において前記第１給水配管に接続され、配管途中に第２給水弁を備えた第２給水配管をさらに備え、前記制御手段は、前記第２給水弁の開閉動作をさらに制御することが望ましい（請求項３）。
【００１２】
この構成によれば、商用給水系統からの給水を可能とする第２給水配管が前記第１給水配管に接続されているので、何らかの理由で空調装置がドレン水を発生しなくなったような場合や、性能評価の開始時（まだ空調装置でドレン水が生成されていない段階）における給水槽への給水を行う場合に対応することができる。
【００１３】
上記構成において、前記空調装置のドレン水排水部と前記ドレンタンクとを結ぶ導入配管と、前記導入配管に配置され、前記ドレン水を浄化する浄化手段と、をさらに備えることが望ましい（請求項４）。
【００１４】
湿球温度計の湿球感温部に供給する水に不純物が混入していると、水の飽和水蒸気圧が変化することから、正確な湿球温度を計測できなくなる恐れがある。上記構成によれば、ドレン水を浄化する浄化手段を備えるので、不純物を多く含んだドレン水が給水槽に貯留されることを抑止することができる。
【００１５】
上記構成において、前記給水槽の水位を検出する水位センサをさらに備えることが望ましい（請求項５）。この構成によれば、水位センサの検出結果に基づき、制御手段に的確な給水制御を行わせることが可能となる。
【発明の効果】
【００１６】
本発明によれば、空調装置が発生するドレン水を有効に活用して、エアサンプラの給水槽への給水を行うシステムを構築することができる。従って、例えば空調装置の性能評価等を行う実験室内において、作業員の給水槽への給水作業を省くと共に、商用配管系統からエアサンプラの給水槽への給水のための導入配管系統を省くことが可能となる。
【図面の簡単な説明】
【００１７】
【図１】本発明の実施形態に係る給水システムの概要を模式的に示す図である。
【図２】上記給水システムを具体的に示すブロック図である。
【図３】制御部の機能ブロック図である。
【図４】制御部による給水制御のフローチャートである。
【発明を実施するための形態】
【００１８】
以下、図面に基づいて、本発明の実施形態につき詳細に説明する。図１は、本発明の実施形態に係る給水システムの概要を模式的に示す図である。給水システムは、実験室Ｒの室内空間内に配置される空調装置１と、実験室Ｒ内の温度及び湿度等を計測するためのエアサンプラ２と、空調装置１が発生するドレン水を貯留するドレンタンク３と、ドレンタンク３内のドレン水をエアサンプラ２の給水槽へ導くための給水系統４とを含む。
【００１９】
実験室Ｒは、例えば季節環境を再現して室内機器（空調装置１）の性能評価を行うために用いられる室であって、当該実験室Ｒは図略の外部建屋内に設置されている。例えば実験室Ｒ内で大阪府下の冬季環境を再現する場合には、前記建屋内の温度が、大型の空調設備により最低気温３℃〜最高気温９℃程度の範囲でシーケンシャルに温度が変化するよう、２４時間連続でコントロールされる。このような模擬的な環境下で空調装置１が所定の実験条件で運転され、当該空調装置１の性能が評価されるものである。
【００２０】
空調装置１は、暖房機能、冷房機能又は除湿機能、或いはこれらの複数機能を具備する所謂エアコンデショナーであり、送風口１１から暖房風又は冷房風等の空調風Ｗを実験室Ｒの室内へ放射する装置である。空調装置１は、その空調機能に関連してドレン水を発生する。例えば冷房動作が実行される場合には、空気を冷やす際に空気中の湿分が凝縮し、ドレン水が発生する。また、暖房動作が実行される場合には、熱交換機用コイルの霜取りを行うデフロスト運転の際にドレン水が発生する。なお、デフロスト運転とは、暖房運転を行っている空調装置に一時的に冷房運転を行わせ、熱交換器コイルの温度を上げることで霜を融解させる運転である。
【００２１】
エアサンプラ２は、図２に基づき後記で詳述するが、乾球温度計と、湿球温度計と、該湿球温度計の湿球感温部に供給する水を貯留する給水槽とを備え、温度計と、乾球温度と湿球温度との温度差より相対湿度を算出する所謂乾湿計としての機能を備える。このエアサンプラ２は、空調装置１の性能評価のために、空調装置１の運転中において実験室Ｒの室内空気をサンプリングし、室内温度及び湿度を計測する。
【００２２】
空調装置１の性能評価は、長期間に亘り連続的に行われる場合がある。この場合、湿球温度計へは常に水を供給する必要があることから、前記給水槽に貯留されている水が枯渇しないよう給水を行う必要がある。本実施形態に係る給水システムでは、この給水用として、空調装置１が発生するドレン水を活用するよう構成されており、このためドレンタンク３及び給水系統４が備えられている。
【００２３】
以下、給水システムの詳細構成について図２に基づいて説明する。図２は、給水システムの構成を示すブロック図である。給水システムは、上述のエアサンプラ２、ドレンタンク３及び給水系統４に加え、エアサンプラ２への給水動作を制御する制御部５と、空調装置１のドレン水排水部１２とドレンタンク３とを結ぶ導入配管６とを備えている。
【００２４】
エアサンプラ２は、筐体２０、吸気ダクト２１、排気ダクト２２、送気ポンプ２３、第１測温抵抗体２４、第２測温抵抗体２５、給水槽２６、第１高水位センサ２７、及び第１低水位センサ２８を備えている。筐体２０は、第１及び第２測温抵抗体２４、２５を収容する中空の箱形形状を備え、互いに対向する第１側板２０１及び第２側板２０２と、底板２０３とを有している。吸気ダクト２１は、筐体２０の第１側板２０１に接続され、実験室Ｒの室内空気を筐体２０内へ取り入れるためのダクトである。一方、排気ダクト２２は、筐体２０内の空気を実験室Ｒへ排出するためのダクトである。送気ポンプ２３は、吸気ダクト２１からの空気取り込み、及び排気ダクト２２の空気排出を行わせるための空気流を発生させるポンプ（ファン）である。
【００２５】
第１測温抵抗体２４及び第２測温抵抗体２５は、金属の電気抵抗が温度変化に応じて変化することを利用した温度測定素子であり、例えば白金測温抵抗体を好適に用いることができる。第１測温抵抗体２４は、乾球温度計としての役目を果たすものであり、そのプローブ部が筐体２０の内部にそのまま露呈されている。一方、第２測温抵抗体２５は、湿球温度計としての役目を果たすものであり、そのプローブ部２５１（湿球感温部）は給水能力を有するガーゼ２５２で被覆されている。このガーゼ２５２を通してプローブ部２５１には水（ドレン水）が常時供給され、これによりプローブ部２５１は常に湿った状態に維持される。湿度は、第１及び第２測温抵抗体２４、２５が計測する温度差と、予め定められた温度差に関連付けた湿度表とを対照させることで求められる。
【００２６】
給水槽２６は、第２測温抵抗体２５のプローブ部２５１に供給する水を貯留するもので、筐体２０の底板２０３の下部に取り付けられている。給水槽２６は、上面開口の容器からなり、その上面開口が底板２０３に設けられている窓部に対向するように、筐体２０に組み付けられている。上記のガーゼ２５２は、その上部がプローブ部２５１の外周囲を包被する一方で、その下部が給水槽２６に貯留されている水に浸漬され、給水槽２６内の水を吸水してプローブ部２５１に導く。
【００２７】
第１高水位センサ２７及び第１低水位センサ２８は、給水槽２６内における水位を計測するためのセンサであり、例えば圧力センサと水位面に投入されるプローブパイプとを含む圧力式の水位センサ、又は着水することで電極間が導通する電極式の水位センサ等を用いることができる。第１高水位センサ２７は、給水槽２６が満水状態であるか否かを検知するために、また第１低水位センサ２８は、給水槽２６が渇水状態であるか否かを検知するために各々設けられている。第１低水位センサ２８が検出する水位レベルは、ガーゼ２５２の下端部が、吸水が可能な程度に水中に浸漬され得るレベルである。
【００２８】
ドレンタンク３は、空調装置１が発生するドレン水を一時的に貯留するタンクである。このドレンタンク３にも、その水位を計測するための第２高水位センサ３１及び第２低水位センサ３２が付設されている。第２高水位センサ３１は、ドレンタンク３が満水状態であるか否かを検知するための、また第２低水位センサ３２は、ドレンタンク３が渇水状態であるか否かを検知するためのセンサである。
【００２９】
ドレンタンク３には、導入配管６を通して空調装置１からドレン水が導入される。導入配管６の一端部６１は、空調装置１のドレン水排水部１２に接続され、他端部６２はドレンタンク３のキャビティ内に配置されている。導入配管６の中間部には、ドレン水を浄化するための浄化装置６３（浄化手段）が配置されている。浄化装置６３は、ドレン水中に含まれる不純物を除去し、蒸留水に近い水を精製するために配置されている。なお、導入配管６には、開閉弁や、ドレン水を送水するためのポンプを設けるようにしても良い。
【００３０】
空調装置１のドレン水排水部１２から排出されたドレン水は、導入配管６に送られ、浄化装置６３で浄化された後、ドレンタンク３に貯留される。ドレンタンク３の水位は、第２高水位センサ３１及び第２低水位センサ３２を用いて管理されるが、ドレン水の量が多い場合にオーバーフローしないように、ドレンタンク３に排水配管を付設することが望ましい。
【００３１】
給水系統４は、エアサンプラ２の給水槽２６へ給水を行わせるための配管系統であって、ドレンタンク３からの給水用の第１給水配管４１と、商用給水系統からの給水用の第２給水配管４２とからなる。第１給水配管４１は、ドレンタンク３と給水槽２６との間に配管され、配管途中に第１給水弁４３及び給水ポンプ４４を備える。第１給水配管４１の上流端４１１は、ドレンタンク３に貯留されているドレン水内に没入されており、下流端４１２は、給水槽２６に臨んでいる。第１給水弁４３は例えば電磁開閉弁であり、制御部５によって開閉制御される。給水ポンプ４４は、定量送水が可能な電動ポンプであり、制御部５によって駆動が制御される。
【００３２】
第１給水弁４３が「開」とされた状態で給水ポンプ４４が駆動されると、ドレンタンク３に貯留されているドレン水が第１給水配管４１の上流端４１１に取り入れられる。そして、ドレン水は、下流端４１２から給水槽２６へ放出される。第１給水弁４３及び給水ポンプ４４の動作は、給水槽２６及びドレンタンク３に設置されている水位センサ２７、２８、３１、３２の計測結果に基づき制御される。
【００３３】
第２給水配管４２は、何らかの理由で空調装置１がドレン水を発生しなくなったような場合や、性能評価の開始時等、まだ空調装置１でドレン水が生成されていない段階で給水槽２６への給水を行い得るようにするために設けられる給水配管である。第２給水配管４２の上流端４２１（一端）は商用給水系統に接続され、下流端４２２（他端）は、第１給水弁４３及び給水ポンプ４４よりも下流側において第１給水配管４１に接続され、配管途中に第２給水弁４５を備えている。
【００３４】
第２給水弁４５は例えば電磁開閉弁であり、第１給水弁４３と同様に制御部５によって開閉制御される。なお、第２給水弁４５が「開」とされるときは、ドレンタンク３に商用給水系統の水が流入することを防止するために第１給水弁４３は「閉」とされる。勿論、第１給水弁４３が「開」とされるときは、第２給水弁４５は「閉」とされる。第２給水弁４５が「開」とされると、商用給水系統の水圧によって、第２給水配管４２及び第１給水配管４１の下流側を通して、商用給水系統の水が給水槽２６へ供給される。
【００３５】
制御部５は、水位センサ２７、２８、３１、３２による水位の計測結果を参照して、第１給水弁４３、第２給水弁４５及び給水ポンプ４４を制御し、適切なタイミングで、給水系統４を通してドレン水（商用給水系統の水）をエアサンプラ２の給水槽２６へ給水させる。
【００３６】
続いて、図３を参照して、制御部５の詳細について説明する。図３は、制御部５の機能構成を示すブロック図である。制御部５は、ＣＰＵ（Central Processing Unit）を備え、所定のプログラムが実行されることで、水位検知部５１、給水弁制御部５２及び給水ポンプ制御部５３を含むように機能する。
【００３７】
水位検知部５１は、水位センサ２７、２８、３１、３２から所定のサンプリング周期で検知信号を取得し、給水槽２６の水位及びドレンタンク３の水位状態を検知する。第１高水位センサ２７及び第１低水位センサ２８の双方から検知信号が得られているとき、水位検知部５１は給水槽２６の水位が「満水状態」であると判定する。第１高水位センサ２７からは検知信号が得られていないものの、第１低水位センサ２８からは検知信号が得られている場合は、水位検知部５１は給水槽２６の水位が、未だ渇水状態に至っていない「給水可能状態」であると判定する。一方、第１高水位センサ２７及び第１低水位センサ２８の双方から検知信号が得られない状態となった場合、水位検知部５１は給水槽２６の水位が、ガーゼ２５２に吸水させて第２測温抵抗体２５のプローブ部２５１へ安定的に給水できない「渇水状態」であると判定する。
【００３８】
同様に、第２高水位センサ３１及び第２低水位センサ３２の検知信号に基づき、水位検知部５１はドレンタンク３の水位状態を検知する。第２高水位センサ３１及び第２低水位センサ３２の双方から検知信号が得られているとき、水位検知部５１はドレンタンク３の水位が「満水状態」であると判定する。第２高水位センサ３１からは検知信号が得られていないものの、第２低水位センサ３２からは検知信号が得られている場合は、水位検知部５１はドレンタンク３の水位が「給水可能状態」であると判定する。一方、第２高水位センサ３１及び第２低水位センサ３２の双方から検知信号が得られない状態となった場合、水位検知部５１はドレンタンク３の水位が、給水槽２６に十分な給水を行えない「渇水状態」であると判定する。
【００３９】
給水弁制御部５２は、給水槽２６に対して、ドレンタンク３又は商用給水系統のいずれかを水源として給水を行わせるために、第１給水弁４３及び第２給水弁４５の開閉動作を制御する。この開閉制御のため水位検知部５１は、水位検知部５１による水位状態検知結果を参照する。給水槽２６の水位が「渇水状態」であると判定された場合において、ドレンタンク３の水位が「満水状態」若しくは「給水可能状態」であると判定されている場合、給水弁制御部５２は、第１給水弁４３を「開」とする一方で第２給水弁４５を「閉」とし、第１給水配管４１を通してドレンタンク３から給水槽２６への給水が可能な状態とする。これに対し、給水槽２６の水位が「渇水状態」であると判定された場合において、ドレンタンク３の水位が「渇水状態」であると判定されている場合、給水弁制御部５２は、第１給水弁４３を「閉」とする一方で第２給水弁４５を「開」とする。
【００４０】
一方、給水槽２６の水位が「満水状態」又は「給水可能状態」と判定されている状態では、給水弁制御部５２は、第１給水弁４３及び第２給水弁４５の双方を「閉」とする。但し、ドレンタンク３が「給水可能状態」から「満水状態」に変化したことが検知されたときに、給水槽２６の水位が「給水可能状態」であれば、オーバーフローの防止のために、第１給水弁４３を「開」としてドレンタンク３から給水を行わせるようにしても良い。
【００４１】
給水ポンプ制御部５３は、給水ポンプ４４の駆動動作を制御する。給水ポンプ制御部５３は、ドレンタンク３から給水槽２６への給水が選択される場合において、第１給水弁４３が「開」とされた後に、給水ポンプ４４を駆動させる。給水ポンプ４４の駆動によって、「渇水状態」にある給水槽２６にドレン水が供給される。そして、第１低水位センサ２８から検知信号が得られたら、給水ポンプ制御部５３は、給水ポンプ４４の駆動を停止させる。
【００４２】
なお、商用給水系統からの給水槽２６への給水が選択される場合は、給水ポンプ４４は駆動されない。この場合、給水弁制御部５２が第１給水弁４３を「閉」、第２給水弁４５を「開」とするだけで、当該商用給水系統の水圧によって、第２給水配管４２及び第１給水配管４１を通して給水槽２６への給水が行われる。
【００４３】
続いて、以上説明した給水システムによる給水動作を、図４に示すフローチャートに基づいて説明する。定常時においては、第１給水弁４３及び第２給水弁４５は「閉」とされ、給水ポンプ４４は「非動作」の状態とされる（ステップＳ１）。所定のサンプリング周期で、水位検知部５１は、水位センサ２７、２８、３１、３２から検知信号を取得し、給水槽２６及びドレンタンク３の各々の水位状態を判定する。
【００４４】
まず、給水槽２６の水位状態が確認され（ステップＳ２）、第２測温抵抗体２５への給水に問題の無い水位（上述の「満水状態」又は「給水可能状態」）であれば（ステップＳ２でＹＥＳ）、そのまま待機する。一方、給水槽２６が「渇水状態」であれば（ステップＳ２でＮＯ）、ドレンタンク３の水位状態が、「満水状態」又は「給水可能状態」であるか否かが確認される（ステップＳ３）。
【００４５】
ドレンタンク３が「満水状態」又は「給水可能状態」である場合（ステップＳ３でＹＥＳ）、給水弁制御部５２は第１給水弁４３を「開」、第２給水弁４５を「閉」とする（ステップＳ４）。続いて、給水ポンプ制御部５３は、給水ポンプ４４を「動作」状態とする（ステップＳ５）。これにより、ドレンタンク３から給水槽２６へドレン水が供給される状態となる。
【００４６】
その後、水位検知部５１によって、第１高水位センサ２７の検知信号に基づき、給水槽２６が「満水状態」であるか否かが確認される（ステップＳ６）。給水槽２６が「満水状態」に至っていない場合（ステップＳ６でＮＯ）、ステップＳ３に戻って処理が繰り返される。
【００４７】
これに対し、ドレンタンク３が当初から「渇水状態」である場合、若しくは、一旦ドレンタンク３から給水を開始したものの途中で「渇水状態」となった場合（ステップＳ３でＮＯ）、ステップＳ７に移行する。ここでは、後者の場合を想定して、第１給水弁４３が「開」、給水ポンプ４４が「動作」状態にあるか否かが確認される。第１給水弁４３が「開」、給水ポンプ４４が「動作」状態である場合（ステップＳ７でＹＥＳ）、第１給水弁４３が「閉」、給水ポンプ４４が「非動作」状態とされる（ステップＳ８）。
【００４８】
その後、給水弁制御部５２により、第２給水弁４５が「開」とされる（ステップＳ９）。これにより、商用給水系統から給水槽２６へ水が供給される状態となる。ドレンタンク３が当初から「渇水状態」である場合は（ステップＳ７でＮＯ）、ステップＳ８はスキップされ、第２給水弁４５が「開」とされる。その後、ステップＳ６へ至る。
【００４９】
給水槽２６が「満水状態」に至った場合（ステップＳ６でＹＥＳ）、第１給水弁４３が「閉」とされると共に給水ポンプ４４が「非動作」状態とされる、若しくは、第２給水弁４５が「閉」とされ、処理を終える。
【００５０】
以上説明した通りの、本実施形態に係る給水システムによれば、空調装置１が発生するドレン水を活用して、エアサンプラ２の給水槽２６への給水が行われる。従って、実験室Ｒ内においてエアサンプラ２を用いて空調装置の性能評価等を行う場合に、評価対象とする空調装置１からエアサンプラ２へ給水を行わせるようにする自立的な実験システムを構築することができる。従って、実験室Ｒ内において、作業員が給水槽２６へ給水する作業を省くことができる。また、ドレンタンク３からの給水が何らかの原因で行えない状態であっても、第２給水配管４２を通して商用給水系統からの給水が可能とされているので、給水槽２６を渇水させてしまう恐れがない。
【符号の説明】
【００５１】
１  空調装置
２  エアサンプラ
２４  第１測温抵抗体（乾球温度計）
２５  第２測温抵抗体（湿球温度計）
２５１  プローブ部（湿球感温部）
２６  給水槽
２７  第１高水位センサ
２８  第１低水位センサ
３  ドレンタンク
３１  第２高水位センサ
３２  第２低水位センサ
４  給水系統
４１  第１給水配管
４２  第２給水配管
４３  第１給水弁
４４  給水ポンプ
４５  第２給水弁
５  制御部（制御手段）
５１  水位検知部
５２  給水弁制御部
５３  給水ポンプ制御部
６  導入配管
６３  浄化装置（浄化手段）
Ｒ  実験室
【図１】
2012017948.tif 000003
【図２】
2012017948.tif 000004
【図３】
2012017948.tif 000005
【図４】
2012017948.tif 000006